(57)【要約】      （修正有）【課題】光源として有機ＥＬ素子およびＬＥＤ素子を用いるとともに、出射光の光量および配光を所望に調整可能な照明装置を提供する。【解決手段】照明装置１は、器具本体５と、発光ダイオード８および有機エレクトロルミネッセンス素子７を有し、有機エレクトロルミネッセンス素子７の発光面に直交する方向と発光ダイオード８Ａから放射される放射光の光軸とが一致するように設けられ、器具本体５に配設された発光体２Ａと、有機ＥＬ素子７および発光ダイオード８をそれぞれ調光点灯可能に形成された点灯装置３と、外部信号に応じて有機ＥＬ素子７および発光ダイオード８をそれぞれ調光点灯させるように点灯装置３を制御する制御装置４とを具備している。【選択図】図１
2011014275.tif 000002
【特許請求の範囲】
【請求項１】
器具本体と；
有機エレクトロルミネッセンス素子および発光ダイオードを有し、前記有機エレクトロルミネッセンス素子の発光面に直交する方向と前記発光ダイオードから放射される放射光の光軸とが一致するように設けられ、前記器具本体に配設された発光体と；
前記有機エレクトロルミネッセンス素子および前記発光ダイオードをそれぞれ調光点灯可能に形成された点灯装置と；
外部信号に応じて前記有機エレクトロルミネッセンス素子および前記発光ダイオードをそれぞれ調光点灯させるように前記点灯装置を制御する制御装置と；
を具備していることを特徴とする照明装置。
【請求項２】
前記発光体は、透光性部材により覆われており、前記発光体から放射される放射光は、前記透光性部材を透過して出射されることを特徴とする請求項１記載の照明装置。
【発明の詳細な説明】
【技術分野】
【０００１】
本発明は、光源としてエレクトロルミネッセンス（ＥＬ）素子および発光ダイオード（ＬＥＤ）素子を有する照明装置に関する。
【背景技術】
【０００２】
照明装置における発光体（光源）として、白色または各種単色の発光ダイオード（ＬＥＤ）が実用化されている。また、近年、有機エレクトロルミネッセンス（ＥＬ）素子の発光効率の向上に伴い、有機ＥＬ素子の照明用途への応用が進められている。このＥＬ素子を使用した照明装置として、例えば、出射光の指向性を高めた面状光源装置が提案されている（特許文献１参照。）。この従来技術の面状光源装置は、各単位プリズムの頂点を連続した線の方向が互いに平行になるように、略三角状の断面を有する単位プリズムが一つの面に多数隣接して配置されたプリズムシートが２枚、各プリズムシートにおける各単位プリズムの頂点を連続した線の方向が互いに平行になるように、面状光源装置の出射面に積層して配置されることによって構成された集光部材を備えるものである。すなわち、２枚のプリズムシートからなる集光部材を備えることにより、ある方向に集中的に光を出射させることが可能であり、不要な方向に出射される光を減少させることができ、消費電力を低減させることができるというものである。
【０００３】
また、ＥＬ素子および発光ダイオードを使用した照明装置として、例えば、透明基板の表面側に発光する平面発光体が提案されている（特許文献２参照。）。この従来技術の平面発光体は、透明基板の裏面にＥＬ素子を備え、透明基板の端面に、透明基板内に光を照射するＬＥＤ素子を備えたものであり、ＥＬ素子に補色関係にある青色と黄色を発光するものを用い、ＬＥＤ素子に発光波長が６００〜７００ｎｍの赤色ＬＥＤ素子を用いることにより、発光効率が良好で、色ずれ等がなくて色度バランスに優れたものとなるというものである。
【先行技術文献】
【特許文献】
【０００４】
【特許文献１】特開２００１−３５７９７８号公報（第３頁、第６図）
【特許文献２】特開２００３−９２００２号公報（第４頁、第１図）
【発明の概要】
【発明が解決しようとする課題】
【０００５】
有機ＥＬ素子は、面光源であるので、均等拡散に近い配光である。したがって、目的に応じた配光を得るには、特許文献１の面状光源装置のように、プリズムシートや光学フィルムなどを出射面側に配設する必要がある。このプリズムシートや光学フィルムなどの光吸収により、照明装置は、その出射光の光量が低下するという欠点を有する。
【０００６】
また、特許文献２の平面発光体は、青色や黄色を発光する有機ＥＬ素子の放射光に、赤色ＬＥＤ素子からの赤色光を補強することにより白色光を得るものであり、配光や光量の可変を行うものではなく、配光や光量の可変を行うことができないものである。
【０００７】
本発明は、光源として有機ＥＬ素子およびＬＥＤ素子を用いるとともに、出射光の光量および配光を所望に調整可能な照明装置を提供することを目的とする。
【課題を解決するための手段】
【０００８】
請求項１に記載の照明装置の発明は、器具本体と；有機エレクトロルミネッセンス素子および発光ダイオードを有し、前記有機エレクトロルミネッセンス素子の発光面に直交する方向と前記発光ダイオードから放射される放射光の光軸とが一致するように設けられ、前記器具本体に配設された発光体と；前記有機エレクトロルミネッセンス素子および前記発光ダイオードをそれぞれ調光点灯可能に形成された点灯装置と；外部信号に応じて前記有機エレクトロルミネッセンス素子および前記発光ダイオードをそれぞれ調光点灯させるように前記点灯装置を制御する制御装置と；を具備していることを特徴とする。
【０００９】
本発明および以下の発明において、特に言及しない限り、各構成は以下による。
【００１０】
「一致」とは、数学的や幾何学的に一致しているというものではなく、例えば、有機エレクトロルミネッセンス（ＥＬ）素子の発光面に直交する方向と、発光ダイオードから放射される放射光の光軸との相対的なずれが1５°以下であれば、許容するものである。
【００１１】
点灯装置は、有機エレクトロルミネッセンス（ＥＬ）素子および発光ダイオード（ＬＥＤ）をそれぞれ点灯する個別の点灯装置の組み合わせからなっていてもよい。
【００１２】
外部信号は、調光装置（調光器）から有線で送信される調光信号またはリモコン装置などから無線送信される制御信号を意味する。
【００１３】
点灯装置および制御装置は、器具本体に配設されていてもよく、器具本体と別体に設けられていてもよい。
【００１４】
本発明によれば、有機エレクトロルミネッセンス（ＥＬ）素子の発光面に直交する方向に発光ダイオード（ＬＥＤ）から放射された放射光が出射されるとともに、当該放射光の出射方向において、有機ＥＬ素子および発光ダイオードのそれぞれの放射光の光量が合計される。そして、有機ＥＬ素子および発光ダイオードのそれぞれの放射光の光量に応じて、発光体（照明装置）の配光が形成される。そして、外部信号により、有機ＥＬ素子および発光ダイオードがそれぞれ個別に調光点灯されると、当該調光点灯に応じて、有機ＥＬ素子および発光ダイオードのそれぞれの放射光の光量の割合が変化するとともに、出射する合計光量が変化する。有機ＥＬ素子および発光ダイオードのそれぞれの光量の割合に応じて、発光体（照明装置）の配光が変化する。
【００１５】
そして、発光体は、有機ＥＬ素子が発光ダイオードの背後に位置し、発光ダイオード側に放射光を出射するように形成されると、発光ダイオードの周囲の背景輝度が向上し、発光ダイオードから放射される放射光のグレアが低減される。
【００１６】
請求項２に記載の照明装置の発明は、請求項１記載の照明装置の発明において、前記発光体は、透光性部材により覆われており、前記発光体から放射される放射光は、前記透光性部材を透過して出射されることを特徴とする。
【００１７】
透光性部材は、シリコーン樹脂などの透光性樹脂であってもよく、強化ガラスやプラスチックであってもよい。
【００１８】
本発明によれば、発光体が透光性部材により覆われるので、発光体が外気に露出しなく、外的要因から保護される。
【発明の効果】
【００１９】
請求項１の発明によれば、発光ダイオードから出射される放射光は、有機エレクトロルミネッセンス（ＥＬ）素子の発光面に直交する方向に出射され、点灯装置により、有機ＥＬ素子および発光ダイオードがそれぞれ調光点灯可能であるので、有機ＥＬ素子および発光ダイオードをそれぞれ点消灯または調光点灯させて、有機ＥＬ素子および発光ダイオードのそれぞれの放射光の光量の割合を調整することにより、照明装置の配光を広角配光から狭角配光の間で所望に変化させることができる。また、発光体は、その有機ＥＬ素子が発光ダイオードの背後に位置して、発光ダイオード側に放射光を出射するように形成されると、有機ＥＬ素子からの放射光により、発光ダイオードの周囲の背景輝度が向上し、発光ダイオードから放射される放射光のグレアを低減することができる。
【００２０】
請求項２の発明によれば、発光体は、透光性部材により覆われており、発光体から放射される放射光は、当該透光性部材を透過して器具本体から出射されるので、発光体の外気への露出が防止されて、器具本体の外観性を向上させることができる。
【図面の簡単な説明】
【００２１】
【図１】本発明の実施例１を示す照明装置の概略ブロック図。
【図２】同じく、照明装置の概略斜視図。
【図３】同じく、照明装置を示し、（ａ）は一部切り欠き概略正面図、（ｂ）は概略側面図。
【図４】同じく、発光体の概略断面図。
【図５】同じく、発光体の拡大概略断面図。
【図６】同じく、他の発光体の概略断面図。
【図７】同じく、発光体の配光図。
【発明を実施するための形態】
【００２２】
以下、本発明の一実施の形態について、図面を参照して説明する。
【００２３】
本発明において、発光体は、有機エレクトロルミネッセンス（ＥＬ）素子および発光ダイオードを有し、有機ＥＬ素子の発光面に直交する方向と発光ダイオード（ＬＥＤ）から放射される放射光の光軸とが一致するように設けられて器具本体に配設されている。そして、外部信号により、点灯装置が有機ＥＬ素子および発光ダイオードをそれぞれ点消灯または調光点灯させて、有機ＥＬ素子および発光ダイオードのそれぞれの放射光の光量の割合を調整する。この放射光の光量の割合に応じて、発光体（照明装置）の配光が変化し、発光体から出射される光量も変化するものである。
【実施例１】
【００２４】
図１ないし図７は、本発明の実施例１を示し、図１は照明装置の概略ブロック図、図２は照明装置の概略斜視図、図３は照明装置を示し、（ａ）は一部切り欠き概略正面図、（ｂ）は概略側面図、図４は発光体の概略断面図、図５は発光体の拡大概略断面図、図６は他の発光体の概略断面図、図７は発光体の配光図である。
【００２５】
図１において、照明装置１は、発光体２、点灯装置３、制御装置４および器具本体５を有して構成されている。
【００２６】
発光体２は、図４に示すように、透光性基板６、有機エレクトロルミネッセンス（ＥＬ）素子７および複数個の発光ダイオード８を有して形成されている。有機ＥＬ素子７は、透光性基板６の裏面６ｂ側に設けられ、発光ダイオード８は、透光性基板６の表面６ａ側に設けられている。透光性基板６は、可視光を透過するとともに電気絶縁性を有する材料からなり、例えば所定の厚さを有する長方形の透明ガラス板からなっている。透明ガラス板は、例えばソーダライムガラスや無アルカリガラスからなっている。
【００２７】
有機ＥＬ素子７は、透光性基板６の裏面６ｂに、透明導電膜からなる陽極９、有機発光層１０および陰極１１の順に形成されている。陽極９は、例えば、ＩＴＯ（インジウム−スズ酸化物）、ＳｎＯ2、ＺｎＯ等の透明性導電材料からなり、透光性基板６の裏面６ｂに、真空蒸着やスパッタリングなどにより薄膜に形成されている。
【００２８】
有機発光層１０は、陽極９の側に図示しないホール輸送層、陰極１１の側に図示しない電子注入層を積層した多層構成に形成されている。そして、陽極９側を正電圧として陽極９および陰極１１間に直流電圧が印加されると、電子注入層を介して注入された電子と、ホール輸送層を介して注入されたホールとが有機発光層１０内で結合して発光が起きるものである。有機発光層１０は、直流電圧の印加により白色光を発光する各種有機物や有機化合物を用いて形成されている。
【００２９】
陰極１１は、例えば、アルミニウム（Ａｌ）やマグネシウム（Ｍｇ）などからなり、有機発光層１０の表面に、真空蒸着やスパッタリングなどにより薄膜に形成されている。陰極１１は、光透過しない又は光透過の低い電極材料が用いられることにより、有機発光層１０における発光を陽極９側に照射する。これにより、陽極９側は、有機ＥＬ素子７の発光面となっている。
【００３０】
そして、発光ダイオード８は、その複数個が透光性基板６の表面６ａ側にマトリックス状に配置され、例えば一列ごとに、透光性基板６の表面６ａに形成された配線パターン１２により直列接続されている。図中、配線パターン１２は、パッドを包含している。配線パターン１２は、例えばニッケル（Ｎｉ）の表面に銀（Ａｇ）メッキした導電材からなり、その厚さが例えば１０μｍとなっている。発光ダイオード８は、青色光を放射するＬＥＤベアチップ１３および青色光を例えば黄色光に波長変換するＹＡＧ系蛍光体粒子１４を有して構成されている。
【００３１】
ＬＥＤベアチップ１３は、図５に示すように、長方体状に形成されたサファイア１５の表面に発光層１６が形成され、この発光層１６の表面に電極１７，１８が設けられたものである。サファイア１５は、配線パターン１２に金（Ａｕ）／錫（Ｓｎ）共晶はんだ１９によりはんだ付けされている。発光層１６は、例えば、紫外光から青色光の領域の光を放射する発光材料例えばＩｎＧａＮを有して形成され、通電により青色光を放射する。そして、電極１７は、ボンディングワイヤ２０により配線パターン１２の高電位側に接続され、電極１８は、ボンディングワイヤ２１により配線パターン１２の低電位側に接続されている。
【００３２】
そして、ＬＥＤベアチップ１３は、内面が方物面に形成された略円筒体２２に包囲されている。略円筒体２２の内部には、透光性樹脂２３が充填されて固化されている。すなわち、ＬＥＤベアチップ１３およびボンディングワイヤ２０，２１は、透光性樹脂２３により埋められている。透光性樹脂２３は、例えば透明のシリコーン樹脂からなり、ＹＡＧ系蛍光体粒子１４や図示しない光拡散性粒子を混入している。
【００３３】
発光ダイオード８は、ＬＥＤベアチップ１３から放射された青色光およびＹＡＧ系蛍光体粒子１４による波長変換で発生した黄色光が混色して、白色光を放射する。こうして、発光ダイオード８は、透光性基板６の表面６ａ側に設けられることにより、その放射光（白色光）の光軸が有機ＥＬ素子７の陽極９側（発光面）に直交する方向に一致している。すなわち、有機ＥＬ素子７および発光ダイオード８のそれぞれの放射光（白色光）が同一方向に出射するように、発光体２が形成されている。
【００３４】
上述したように、発光体２は、透光性基板６、有機ＥＬ素子７および発光ダイオード８を有して形成されている。そして、有機ＥＬ素子７は、その陰極１１が光透過しない又は光透過の低い電極材料が用いられて有機発光層１０における発光を陽極９側に照射するので、その放射光（白色光）を透光性基板６の表面６ａ側から外部空間に出射する。そして、その放射光は、図７（ａ）に示すように、均等拡散に近い配光となっている。
【００３５】
また、発光ダイオード８は、透光性基板６の表面６ａ側に設けられているので、その放射光（白色光）を透光性基板６の表面６ａ側から外部空間に出射する。そして、その放射光は、図７（ｂ）に示すように、指向性を有する配光となっている。また、その放射光の光軸は、透光性基板６の表面６ａと直交している。
【００３６】
また、図６に示す発光体２Ａは、図４に示す発光体２において、発光ダイオード８を発光ダイオード（ＬＥＤモジュール）８Ａに替えたものである。すなわち、複数個のＬＥＤベアチップ１３は、透光性基板６の表面６ａに、マトリックス状に配置されているとともに導電性ペーストなどの接着材２４を用いて固着（実装）されている。そして、ＬＥＤベアチップ１３は、例えば一列ごとに、電極１７が隣り合うＬＥＤベアチップ１３の電極１８にボンディングワイヤ２５により接続され、最も一端側に位置するＬＥＤベアチップ１３の電極１７が配線パターン１２の高電位側に接続され、最も他端側に位置するＬＥＤベアチップ１３の電極１８が配線パターン１２の低電位側に接続されている。
【００３７】
そして、全てのＬＥＤベアチップ１３は、長方形の角筒体２６に包囲されている。角筒体２６の内部には、ＹＡＧ系蛍光体粒子１４や図示しない光拡散性粒子を混入している透光性樹脂２３が充填されて固化されている。ＬＥＤベアチップ１３は、透光性樹脂２３により埋められている。発光ダイオード８Ａは、発光ダイオード８と同様に、ＬＥＤベアチップ１３から放射された青色光およびＹＡＧ系蛍光体粒子１４による波長変換で発生した黄色光が混色して、白色光を放射する。
【００３８】
そして、発光ダイオード８Ａは、発光ダイオード８と同様、その放射光（白色光）の光軸が有機ＥＬ素子７の陽極９側（発光面）に直交する方向と一致するように、透光性基板６の表面６ａ側に設けられている。すなわち、有機ＥＬ素子７および発光ダイオード８Ａのそれぞれの放射光（白色光）が同一方向に出射するように、発光体２Ａが形成されている。
【００３９】
図１において、点灯装置３は、電源部２７、ＥＬ点灯回路部２８およびＬＥＤ点灯回路部２９を有して形成されている。電源部２７は、図示しない商用交流電源に接続され、交流電圧を所定の直流電圧に変換して出力するように形成されている。ＥＬ点灯回路部２８は、制御装置４の制御により、電源部２７から出力された所定の直流電圧を調整して、有機ＥＬ素子７の陽極９および陰極１１間に出力するように形成されている。すなわち、有機ＥＬ素子７に出力する直流電圧を可変して、有機ＥＬ素子７を調光点灯させるように形成されている。
【００４０】
また、ＬＥＤ点灯回路部２９は、制御装置４の制御により、電源部２７から出力された所定の直流電圧を調整して、発光ダイオード８（８Ａ）に出力するように形成されている。すなわち、発光ダイオード８（８Ａ）に流れる電流を可変して、発光ダイオード８（８Ａ）を調光点灯させるように形成されている。
【００４１】
制御装置４は、信号受信部３０、主制御部３１および信号送信部３２を有して形成されている。信号受信部３０は、外部に設けられている調光装置３３に接続され、調光装置３３から出力された外部信号としての調光信号を入力するように形成されている。
【００４２】
調光装置３３は、手動操作されるフェーダー３４，３５を備え、このフェーダーの位置に応じた調光信号を出力するように形成されている。すなわち、フェーダー３４，３５は、図中、それぞれ０〜１００％の範囲で移動される。そして、フェーダー３４が０％に位置していると、有機ＥＬ素子７を消灯させる調光信号を出力し、１００％に位置していると、有機ＥＬ素子７を全光（１００％）点灯させる調光信号を出力し、中間（５０％）に位置していると、有機ＥＬ素子７を調光率５０％で点灯させる調光信号を出力する。また、フェーダー３５が０％に位置していると、発光ダイオード８（８Ａ）を消灯させる調光信号を出力し、１００％に位置していると、発光ダイオード８（８Ａ）を全光（１００％）点灯させる調光信号を出力し、中間（５０％）に位置していると、発光ダイオード８（８Ａ）を調光率５０％で点灯させる調光信号を出力する。
【００４３】
主制御部３１は、マイコンを有し、このマイコンにより、信号受信部３０が入力した調光信号に応じて、有機ＥＬ素子７および発光ダイオード８（８Ａ）をそれぞれ点消灯または調光点灯させる制御信号を演算生成するように形成されている。信号送信部３２は、当該制御信号を点灯装置３のＥＬ点灯回路部２８およびＬＥＤ点灯回路部２９に出力するように形成されている。ＥＬ点灯回路部２８およびＬＥＤ点灯回路部２９は、当該制御信号に応じて、それぞれ有機ＥＬ素子７および発光ダイオード８（８Ａ）を点消灯または調光点灯させる。すなわち、有機ＥＬ素子７および発光ダイオード８（８Ａ）は、調光装置３３のフェーダー３４，３５の手動操作により点消灯または調光点灯される。
【００４４】
器具本体５は、図３に示すように、長方形の略箱状に形成され、下面５ａ側に光源ユニット３６を配設している。光源ユニット３６は、ユニット本体３７およびカバー体３８からなっている。ユニット本体３７は、その長手方向の寸法が器具本体５と同等であり、その幅方向の寸法が器具本体５よりも大きく形成されているとともに、比較的浅い深さを有する有底の枠体に形成されている。そして、図３（ａ）に示すように、底面３７ａ側に有機ＥＬ素子７、開口３７ｂ側に発光ダイオード８Ａが位置するようにして、図示しないねじなどにより、図５に示す発光体２Ａを取り付けている。
【００４５】
カバー体３８は、例えばアクリル樹脂からなる透光性部材としての長方形の透光板３９を具備している。そして、ユニット本体３７の開口３７ｂを閉塞するようにして、ねじ４０，４０により、ユニット本体３７を介して器具本体５に取り付けられている。発光体２Ａは、透光性基板６の表面６ａ側において、発光ダイオード８Ａが透光板３９により覆われている。すなわち、透光板３９は、発光体２Ａに正対するように設けられ、図２に示すように、有機ＥＬ素子７および発光ダイオード８Ａのそれぞれの放射光（白色光）を出射する出射面となり、外部空間に露出する面が均等な発光面となるものである。
【００４６】
そして、器具本体５は、図３（ａ）に示すように、その内部に点灯装置３および制御装置４を配設している。発光体２Ａ、点灯装置３および制御装置４などは、図示しないリード線および電源線により電気接続されている。器具本体５は、例えば天井面に直付け又は吊り下げられている。
【００４７】
なお、ユニット本体３７は、図４に示す発光体２を配設しても、透光板３９を均等な発光面とすることができるものである。
【００４８】
次に、本発明の実施例１の作用について述べる。
【００４９】
調光装置３３のフェーダー３４を移動操作すると、調光装置３３から有機ＥＬ素子７を点消灯または調光点灯させる調光信号が照明装置１の制御装置４に出力される。制御装置４は、当該調光信号に応じた制御信号を演算生成し、点灯装置３のＥＬ点灯回路部２８に出力する。
【００５０】
ＥＬ点灯回路部２８は、当該制御信号に応じて、有機ＥＬ素子７の陽極９および陰極１１間に印加する直流電圧を変化させる。有機ＥＬ素子７の有機発光層１０は、当該直流電圧に応じた放射光（白色光）を放射する。こうして、調光装置３３から出力された調光信号（外部信号）に応じて、有機ＥＬ素子７は、陽極９および陰極１１間に印加される直流電圧が可変され、消灯から全光点灯の範囲で調光点灯される。
【００５１】
有機ＥＬ素子７は、その陰極１１が光透過しない例えばアルミニウム（Ａｌ）やマグネシウム（Ｍｇ）の電極材料からなるので、有機発光層１０から放射された白色光は、陽極９側から透光性基板６に照射される。陽極９側の全域は、当該白色光を放射する発光面となっている。そして、当該白色光は、透光性基板６を透過し、透光性基板６の表面６ａ側に設けられたＬＥＤベアチップ１３，１３間や配線パターン１２，１２間などから透光性樹脂２３内に入射し、透光性樹脂２３を透過し、さらにカバー体３８の透光板３９を透過して、被照射面（外部空間）に出射する。ここで、白色光は、透光性樹脂２３に混入されているＹＡＧ系蛍光体粒子１４に照射しても、ほとんど波長変換されないものである。
【００５２】
有機ＥＬ素子７は、長方形の透光性基板６の裏面６ｂに長方形に形成され、カバー体３８の透光板３９は、発光体２Ａ（透光性基板６）に正対するように長方形に設けられているので、有機ＥＬ素子７から放射された白色光は、透光板３９の全域から均等に出射される。すなわち、透光板３９は、その全域が均等な発光面および拡散面となる。これにより、透光板３９から出射される白色光は、図７（ａ）に示すように、均等拡散に近い配光となり、発光体２Ａは、広角配光が得られる。
【００５３】
そして、有機ＥＬ素子７から放射される白色光の光量は、点灯装置３のＥＬ点灯回路部２８の点灯制御により、有機ＥＬ素子７が全光（１００％）点灯されるときに最も多く、有機ＥＬ素子７の調光率が低くなるにしたがい、その調光率に対してほぼ比例的に減少する。ここで、白色光は、透光板３９の全域からほぼ均等に光量が減少していくので、白色光の配光は、有機ＥＬ素子７が調光点灯されても、ほぼ均等拡散に近いものである。
【００５４】
また、調光装置３３のフェーダー３５を移動操作すると、調光装置３３から発光ダイオード８Ａを点消灯または調光点灯させる調光信号が制御装置４に出力される。制御装置４は、当該調光信号に応じた制御信号を演算生成し、点灯装置３のＬＥＤ点灯回路部２９に出力する。
【００５５】
ＬＥＤ点灯回路部２９は、当該制御信号に応じて、ＬＥＤベアチップ１３に流れる電流を変化させる。ＬＥＤベアチップ１３は、その電極１７，１８間に流れる電流に応じた青色光を放射する。この青色光と、ＹＡＧ系蛍光体粒子１４により前記青色光の一部が波長変換された黄色光とが混色し、発光ダイオード８Ａから白色光が出射される。こうして、調光装置３３から出力された調光信号（外部信号）に応じて、発光ダイオード８Ａは、ＬＥＤベアチップ１３の電極１７，１８間に流れる電流が可変され、消灯から全光点灯の範囲で調光点灯される。
【００５６】
ＬＥＤベアチップ１３は、透光性基板６の表面６ａにマトリックス状に設けられているので、発光ダイオード８Ａから出射された白色光は、カバー体３８の透光板３９の全域に入射し、透光板３９を透過して、被照射面（外部空間）に出射する。しかし、ＬＥＤベアチップ１３は、指向性を有する青色光を放射する。ここで、透光性樹脂２３に光拡散性粒子が混入されていても、その拡散性の効果よりも前記指向性が強く表れる。したがって、透光板３９から出射される白色光は、図７（ｂ）に示すように、その光軸が透光性基板６の表面６ａと直交するとともに、楕円形状の指向性を有する配光となり、発光体２Ａは、狭角配光が得られる。
【００５７】
そして、発光ダイオード８Ａから出射される白色光の光量は、点灯装置３のＬＥＤ点灯回路部２９の点灯制御により、発光ダイオード８Ａ（ＬＥＤベアチップ１３）が全光（１００％）点灯されるときに最も多く、発光ダイオード８Ａ（ＬＥＤベアチップ１３）の調光率が低くなるにしたがい、その調光率に対してほぼ比例的に減少する。ここで、白色光は、個々のＬＥＤベアチップ１３からの放射光（青色光）の減少に伴い、透光板３９の全域からほぼ均等に光量が減少していくので、白色光の配光は、発光ダイオード８Ａが調光点灯されても、全光点灯時の配光と相似する。
【００５８】
そして、有機ＥＬ素子７および発光ダイオード８Ａがそれぞれ点灯されると、発光体２Ａは、有機ＥＬ素子７から放射された白色光および発光ダイオード８Ａから放射された白色光を出射する。ここで、発光体２Ａは、有機ＥＬ素子７の陽極９側（発光面）に直交する方向と、発光ダイオード８Ａから放射される放射光（白色光）の光軸が一致するように、透光性基板６に有機ＥＬ素子７および発光ダイオード８を設けているので、有機ＥＬ素子７および発光ダイオード８から放射されたそれぞれの白色光は、同一方向（被照射面側）に出射される。そして、発光体２Ａから放射される白色光の光量は、有機ＥＬ素子７および発光ダイオード８Ａからそれぞれ放射される白色光の光量の合計となる。
【００５９】
また、発光体２Ａから放射される白色光の配光は、有機ＥＬ素子７から放射される白色光の光量によって形成される配光と、発光ダイオード８Ａから放射される白色光の光量によって形成される配光との組み合わせによって形成される。調光装置３３からの調光信号により、例えば、有機ＥＬ素子７および発光ダイオード８Ａがそれぞれ全光（１００％）点灯されると、図７（ｃ）に示すように、発光体２Ａから放射される白色光は、均等拡散性かつ指向性を有する配光となるとともに、光量が最も多くなって被照射面を明るく照明することができる。そして、有機ＥＬ素子７および発光ダイオード８Ａがそれぞれ調光率５０％で点灯されると、有機ＥＬ素子７および発光ダイオード８Ａからそれぞれ放射される白色光の光量は、それぞれ全光（１００％）点灯時の５０％となる。しかし、有機ＥＬ素子７および発光ダイオード８Ａからそれぞれ放射される白色光の光量の割合は、全光（１００％）点灯時とほぼ同等であるので、図７（ｆ）に示すように、発光体２Ａから放射される白色光の配光は、全光点灯時の配光と相似する。
【００６０】
また、調光装置３３からの調光信号により、例えば、有機ＥＬ素子７が全光（１００％）点灯され、発光ダイオード８Ａが調光率５０％で点灯されると、有機ＥＬ素子７から放射される白色光は、発光ダイオード８Ａの光量が全光点灯時の５０％となることにより、その光量の割合が発光ダイオード８Ａよりも大きくなる。これにより、発光体２Ａから放射される白色光は、図７（ｄ）に示すように、光量が大きく、均等拡散性のより大きい配光となる。
【００６１】
また、調光装置３３からの調光信号により、例えば、有機ＥＬ素子７が調光率５０％で点灯され、発光ダイオード８Ａが全光（１００％）点灯されると、発光ダイオード８Ａから放射される白色光は、有機ＥＬ素子７の光量が全光点灯時の５０％となることにより、その光量の割合が有機ＥＬ素子７よりも大きくなる。これにより、発光体２Ａから放射される白色光は、図７（ｅ）に示すように、光量が大きく、指向性のより大きい配光となる。
【００６２】
このように、調光装置３３からの調光信号により、有機ＥＬ素子７および発光ダイオード８Ａの調光率をそれぞれ所望に調整して、有機ＥＬ素子７および発光ダイオード８Ａをそれぞれ調光点灯させることにより、発光体２Ａから放射される白色光の光量および配光がそれぞれ所望に可変される。
【００６３】
上述したように、調光装置３３のフェーダー３４，３５を移動操作して、調光装置３３から所望の調光信号を送信することにより、点灯装置３が有機ＥＬ素子７および発光ダイオード８Ａをそれぞれ個別に点消灯または調光点灯する。これにより、有機ＥＬ素子７および発光ダイオード８Ａのそれぞれの白色光の光量の割合を調整することができるので、発光体２Ａ（照明装置１）から出射される出射光（白色光）の光量および配光を広角配光から狭角配光の間で所望に変化させることができる。
【００６４】
また、発光体２Ａは、有機ＥＬ素子７が透光性基板６の裏面６ａ側に設けられ、発光ダイオード８Ａが透光性基板６の表面６ａ側に設けられているので、有機ＥＬ素子７が点灯することによって有機ＥＬ素子７から放射された放射光（白色光）が透光性基板６の裏面６ｂ側から表面６ａ側に出射される。この有機ＥＬ素子７からの放射光（白色光）により、発光ダイオード８Ａが点灯しているときの発光ダイオード８Ａの背景となる背景輝度が高くなる。これにより、指向性の配光を有する発光ダイオード８Ａから放射される放射光（白色光）のグレアを低減することができる。
【００６５】
そして、発光体２Ａは、図２に示すように、その発光ダイオード８Ａが透光性部材としての透光板３９により覆われて、外気への露出が防止されているので、発光ダイオード８Ａを外的要因から保護することができるとともに、器具本体５の外観性を向上させることができる。
【００６６】
なお、発光体２，２Ａは、透光性基板６の表面６ａ側に発光ダイオード８，８Ａを設け、裏面６ｂ側に有機ＥＬ素子７を設けて、発光ダイオード８，８Ａの背後から有機ＥＬ素子７の放射光を出射するように形成しているが、これとは逆に、透光性基板６の表面６ａ側に有機ＥＬ素子７を設け、裏面６ｂ側に発光ダイオード８，８Ａを設けて、透光性基板６の表面６ａ側から有機ＥＬ素子７および発光ダイオード８，８Ａのそれぞれの放射光を出射するように形成してもよい。この場合、有機ＥＬ素子７は、その陰極１１が透明性導電材料で形成され、発光面が例えばスリット状となるように形成され、発光ダイオード８，８Ａは、その放射光が透光性基板６の裏面６ｂに入射するように、透光性基板６の裏面６ｂ側に透光性基板６と別体に設けられる。
【００６７】
また、照明装置１は、制御装置４が調光装置３３から調光信号（外部信号）を入力するように構成したが、器具本体５に受信素子および受信装置を設け、これらが外部のリモコン装置から送信された外部信号としての無線信号を受信し入力するように構成されてもよい。
【産業上の利用可能性】
【００６８】
本発明は、天井等の造営物に取り付けられる施設用または住宅用の照明装置などに利用することができる。
【符号の説明】
【００６９】
１…照明装置、  ２，２Ａ…発光体、  ３…点灯装置、  ４…制御装置、  ５…器具本体、  ７…エレクトロルミネッセンス（ＥＬ）素子、  ８，８Ａ…発光ダイオード、  ３９…透光性部材としての透光板
【図１】
2011014275.tif 000003
【図２】
2011014275.tif 000004
【図３】
2011014275.tif 000005
【図４】
2011014275.tif 000006
【図５】
2011014275.tif 000007
【図６】
2011014275.tif 000008
【図７】
2011014275.tif 000009